(57)【要約】【課題】  連続的な視度調整機能を有し、小型で良好な光学性能を有するファインダーアダプタを提供することを課題とする。【解決手段】  ファインダー光学系における接眼光学系Ｇｆの後方に装着するファインダーアダプタＧａであって、物体側から順に、負の屈折力を有する第１レンズ群Ｇ１と正の屈折力を有する第２レンズ群Ｇ２とから構成され、上記第１レンズ群を光軸方向に移動させることでファインダー視度を連続的に補正し、かつ以下の条件式（１）、（２）及び（３）を満足することを特徴とするファインダーアダプタ。（１）２．５＜ｆ１＋ｆ２＜５．０（２）１５０＜｜ｆ１・ｆ２｜＜６００（３）｜ｆ１／ｆ２｜＞０．８但し、ｆ１：第１レンズ群の焦点距離ｆ２：第２レンズ群の焦点距離とする。【選択図】図１
2005148487.tif 000002
【特許請求の範囲】
【請求項１】
ファインダー光学系における接眼光学系の後方に装着するファインダーアダプタであって、
物体側から順に、負の屈折力を有する第１レンズ群と正の屈折力を有する第２レンズ群とから構成され、
上記第１レンズ群を光軸方向に移動させることでファインダー視度を連続的に補正し、かつ以下の条件式（１）、（２）及び（３）を満足することを特徴とするファインダーアダプタ。
（１）２．５＜ｆ１＋ｆ２＜５．０
（２）１５０＜｜ｆ１・ｆ２｜＜６００
（３）｜ｆ１／ｆ２｜＞０．８
但し、
ｆ１：第１レンズ群の焦点距離
ｆ２：第２レンズ群の焦点距離
とする。
【請求項２】
上記第１レンズ群と上記第２レンズ群はそれぞれ１枚のレンズで構成され、かつ以下の条件式（４）を満足することを特徴とする請求項１に記載のファインダーアダプタ。
（４）｜Ｒ１１｜・Ｌ／ｎ＜５５
但し、
Ｒ１１：第１レンズ群を構成するレンズの入射側の面の曲率半径
ｎ：ファインダーアダプタの第１レンズ群を構成するレンズのｄ線での屈折率
Ｌ：ファインダーの最終レンズの射出面からファインダーアダプタの第１レンズ群が最も観察者側に位置するときの第１レンズ群を構成するレンズの入射面までの光軸上での空気換算距離
とする。
【請求項３】
ファインダー光学系における接眼光学系の後方に装着するファインダーアダプタであって、
物体側から順に、負の屈折力を有する第１レンズ群と正の屈折力を有する第２レンズ群とから構成され、
上記第２レンズ群を光軸方向に移動させることでファインダー視度を連続的に補正し、かつ以下の条件式（１）、（２）及び（３）を満足することを特徴とするファインダーアダプタ。
（１）２．５＜ｆ１＋ｆ２＜５．０
（２）１５０＜｜ｆ１・ｆ２｜＜６００
（３）｜ｆ１／ｆ２｜＞０．８
但し、
ｆ１：第１レンズ群の焦点距離
ｆ２：第２レンズ群の焦点距離
とする。
【請求項４】
上記第１レンズ群と上記第２レンズ群はそれぞれ１枚のレンズで構成され、かつ以下の条件式（４）を満足することを特徴とする請求項３に記載のファインダーアダプタ。
（４）｜Ｒ１１｜・Ｌ／ｎ＜５５
但し、
Ｒ１１：第１レンズ群を構成するレンズの入射側の面の曲率半径
ｎ：ファインダーアダプタの第１レンズ群を構成するレンズのｄ線での屈折率
Ｌ：ファインダーの最終レンズの射出面からファインダーアダプタの第１レンズ群を構成するレンズの入射面までの光軸上での空気換算距離
とする。
【請求項５】
アイカップが設けられている
ことを特徴とする請求項１に記載のファインダーアダプタ。
【請求項６】
アイカップが設けられている
ことを特徴とする請求項２に記載のファインダーアダプタ。
【請求項７】
アイカップが設けられている
ことを特徴とする請求項３に記載のファインダーアダプタ。
【請求項８】
アイカップが設けられている
ことを特徴とする請求項４に記載のファインダーアダプタ。
【発明の詳細な説明】
【技術分野】
【０００１】
本発明は新規なファインダーアダプタに関する。詳しくは、各種カメラのビューファインダーにおける接眼光学系の後方に装着して連続的な視度調整機能を追加することができる小型のファインダーアダプタに関する。
【背景技術】
【０００２】
従来から、カメラのファインダー接眼部に装着してそのファインダー視度を調整するためのファインダーアダプタが提案されている。中でも、視度補正用のレンズ群をファインダーの接眼光学系の内部もしくは後部に装着することで視度補正を行う方法がよく知られている。特許文献１や特許文献２では、ガリレオ型のファインダー光学系に視度補正用レンズ群を着脱可能に構成し、視度補正機能と像拡大機能を併せ持つファインダーアダプタを実現している。
【０００３】
また、ファインダーアダプタを構成する内部のレンズ群を移動させ、連続的な視度補正機能と像拡大機能を併せ持つファインダーアダプタも実用化されている。
【０００４】
【特許文献１】特開平１１−３３７８４７号公報
【０００５】
【特許文献２】特開２００２−３２８３０１号公報
【発明の開示】
【発明が解決しようとする課題】
【０００６】
ところで、近年、デジタルカメラでは小型化及び薄型化の要求が高く、ファインダー系にも小型且つ薄型のものが求められている。そのため、小型且つ薄型のデジタルカメラに搭載されたビューファインダーでは視度調整機能を省略し、固定の基準視度のみを持つタイプのものが提案されている。しかし、観察者の目の状態が近視もしくは遠視などの場合、上記ファインダーでは視度調整機能が存在しないため良好な視野像を得ることができない。
【０００７】
一方、上記した特許文献１及び特許文献２に示されたもののように、視度補正用のレンズ群を挿入することで視度補正を行うファインダーアダプタでは、目の状態が異なる複数の観察者が使用する場合、その都度補正レンズ群を着脱もしくは交換する必要があり、使い勝手が非常に悪い。
【０００８】
また、連続的な視度補正機能と像拡大機能を併せ持つファインダーアダプタでは、装着するアダプタ自体が大型化してしまい、カメラ本体の小型化及び薄型化にそぐわない。さらに、像を拡大することによって周辺像のケラレが発生するため、全視野を確認して構図を決定することができない。
【０００９】
本発明は上記した問題点に鑑みて為されたものであり、連続的な視度調整機能を有し、小型で良好な光学性能を有するファインダーアダプタを提供することを課題とする。
【課題を解決するための手段】
【００１０】
本発明ファインダーアダプタは、上記した課題を解決するために、ファインダー光学系における接眼光学系の後方に装着され、物体側から順に、負の屈折力を有する第１レンズ群と正の屈折力を有する第２レンズ群とから構成され、上記第１レンズ群を光軸方向に移動させることでファインダー視度を連続的に補正し、かつ、ｆ１を第１レンズ群の焦点距離、ｆ２を第２レンズ群の焦点距離として、以下の条件式（１）、（２）及び（３）を満足することを特徴とする。
（１）２．５＜ｆ１＋ｆ２＜５．０
（２）１５０＜｜ｆ１・ｆ２｜＜６００
（３）｜ｆ１／ｆ２｜＞０．８
【００１１】
また、別の本発明ファインダーアダプタは、上記した課題を解決するために、ファインダー光学系における接眼光学系の後方に装着され、物体側から順に、負の屈折力を有する第１レンズ群と正の屈折力を有する第２レンズ群とから構成され、上記第２レンズ群を光軸方向に移動させることでファインダー視度を連続的に補正し、かつ、ｆ１を第１レンズ群の焦点距離、ｆ２を第２レンズ群の焦点距離として、以下の条件式（１）、（２）及び（３）を満足することを特徴とする。
（１）２．５＜ｆ１＋ｆ２＜５．０
（２）１５０＜｜ｆ１・ｆ２｜＜６００
（３）｜ｆ１／ｆ２｜＞０．８
【００１２】
従って、本発明ファインダーアダプタにあっては、小型化及び薄型化を図り、良好な光学性能を有し、見やすいものとなる。
【発明の効果】
【００１３】
本発明ファインダーアダプタは、ファインダー光学系における接眼光学系の後方に装着するファインダーアダプタであって、物体側から順に、負の屈折力を有する第１レンズ群と正の屈折力を有する第２レンズ群とから構成され、上記第１レンズ群を光軸方向に移動させることでファインダー視度を連続的に補正し、かつ以下の条件式（１）、（２）及び（３）を満足することを特徴とする。
（１）２．５＜ｆ１＋ｆ２＜５．０
（２）１５０＜｜ｆ１・ｆ２｜＜６００
（３）｜ｆ１／ｆ２｜＞０．８
但し、
ｆ１：第１レンズ群の焦点距離
ｆ２：第２レンズ群の焦点距離
とする。
【００１４】
また、別の本発明ファインダーアダプタは、ファインダー光学系における接眼光学系の後方に装着するファインダーアダプタであって、物体側から順に、負の屈折力を有する第１レンズ群と正の屈折力を有する第２レンズ群とから構成され、上記第２レンズ群を光軸方向に移動させることでファインダー視度を連続的に補正し、かつ以下の条件式（１）、（２）及び（３）を満足することを特徴とする。
（１）２．５＜ｆ１＋ｆ２＜５．０
（２）１５０＜｜ｆ１・ｆ２｜＜６００
（３）｜ｆ１／ｆ２｜＞０．８
但し、
ｆ１：第１レンズ群の焦点距離
ｆ２：第２レンズ群の焦点距離
とする。
【００１５】
従って、本発明ファインダーアダプタにあっては、小型化及び薄型化を図ることができると共に、実用的に十分な範囲での視度調整を行うことができ、また、十分な光学性能を得ることができる。
【００１６】
請求項２及び請求項４に記載した発明にあっては、上記第１レンズ群と上記第２レンズ群はそれぞれ１枚のレンズで構成され、かつ、Ｒ１１を第１レンズ群を構成するレンズの入射側の面の曲率半径、ｎをファインダーアダプタの第１レンズ群を構成するレンズのｄ線での屈折率、Ｌをファインダーの最終レンズの射出面からファインダーアダプタの第１レンズ群が最も観察者側に位置するときの第１レンズ群を構成するレンズ（又はファインダーアダプタの第１レンズ群を構成するレンズ）の入射面までの光軸上での空気換算距離、として、以下の条件式
（４）｜Ｒ１１｜・Ｌ／ｎ＜５５
を満足するので、さらなる小型化及び薄型化を図ることができると共に、ファインダーの瞳径を大きく取ることができ、しかも安価に構成することができる。
【００１７】
請求項５乃至請求項８に記載した発明にあっては、アイカップが設けられているので、ファインダーの視認性がさらに向上する。
【発明を実施するための最良の形態】
【００１８】
以下に、本発明ファインダーアダプタを実施するための最良の形態について添付図面を参照して説明する。
【００１９】
図１乃至図４は本発明ファインダーアダプタの第１の実施形態（数値実施例１）を示し、図５乃至図８は本発明ファインダーアダプタの第２の実施形態（数値実施例２）を示し、図９乃至図１２は本発明ファインダーアダプタの第３の実施形態（数値実施例３）を示し、図１３乃至図１６は本発明ファインダーアダプタの第４の実施形態（数値実施例４）を示すものである。
【００２０】
図１、図５、図９及び図１３に示すように、本発明にかかるファインダーアダプタＧａ１、Ｇａ２、Ｇａ３及びＧａ４は、ファインダー光学系の接眼光学系Ｇｆの後方に装着するファインダーアダプタであり、物体側から順に、負の屈折力を有する第１レンズ群Ｇ１と正の屈折力を有する第２レンズ群Ｇ２とから構成されている。なお、図１、図５、図９及び図１３において、上段は視度が−４Ｄｐｔである時の状態を、下段は視度が＋２Ｄｐｔであるときの状態を、それぞれ示すものである。
【００２１】
第１の実施の形態及び第２の実施の形態にかかるファインダーアダプタＧａ１及びＧａ２は、負の屈折力を有する第１レンズ群Ｇ１を光軸上で移動させてファインダー視度を連続的に補正する（図１及び図５参照）。このとき、正の屈折力を有する第２レンズ群Ｇ２は固定である。
【００２２】
また、第３の実施の形態及び第４の実施の形態にかかるファインダーアダプタＧａ３及びＧａ４は、正の屈折力を有する第２レンズ群Ｇ２を光軸上で移動させてファインダー視度を連続的に補正する（図９及び図１３参照）。このとき、負の屈折力を有する第１レンズ群は固定である。
【００２３】
そして、ｆ１を第１レンズ群Ｇ１の焦点距離、ｆ２を第２レンズ群Ｇ２の焦点距離として、以下の条件式（１）、（２）及び（３）を満足するように設定することで、小型で良好な光学性能を有するファインダーアダプタを実現している。
（１）２．５＜ｆ１＋ｆ２＜５．０
（２）１５０＜｜ｆ１・ｆ２｜＜６００
（３）｜ｆ１／ｆ２｜＞０．８
【００２４】
上記条件式（１）は、ファインダーの基準視度におけるファインダーアダプタの全長を設定するものであり、上限を外れると全長が長くなり、小型化及び薄型化を図ることができない。一方、下限を外れると視度調整範囲が狭くなる、もしくは倍率が小さくなり、所望の光学性能を十分に得ることができない。
【００２５】
上記条件式（２）は、ファインダーアダプタの可動群である視度補正レンズ（第１及び第２の実施の形態Ｇａ１、Ｇａ２にあっては第１レンズ群Ｇ１であり、第３及び第４の実施の形態Ｇａ３、Ｇａ４にあっては第２レンズ群Ｇ２である）の移動量を設定するものである。上限を外れると視度補正レンズの移動量が大きくなり、小型化及び薄型化を図ることができない。一方、下限を外れると倍率が小さくなり、見えづらいファインダーとなってしまう。
【００２６】
上記条件式（３）はファインダーアダプタの倍率の下限値を設定するものであり、この下限値を外れると見えづらいファインダーとなってしまう。
【００２７】
さらに、上記２つのレンズ群Ｇ１、Ｇ２をそれぞれ１枚のレンズで構成し、Ｒ１１を第１レンズ群Ｇ１を構成するレンズの入射側の面の曲率半径、ｎをファインダーアダプタの第１レンズ群Ｇ１を構成するレンズのｄ線での屈折率、第１及び第２の実施の形態Ｇａ１、Ｇａ２においてはＬをファインダーの最終レンズの射出面からファインダーアダプタの第１レンズ群が最も観察者側に位置するときの第１レンズ群を構成するレンズの入射面までの光軸上での空気換算距離、第３及び第４の実施の形態Ｇａ３、Ｇａ４においてはＬをファインダーの最終レンズの射出面からファインダーアダプタの第１レンズ群を構成するレンズの入射面までの光軸上での空気換算距離として、条件式（４）を満足するように設定することが望ましい。
（４）｜Ｒ１１｜・Ｌ／ｎ＜５５
【００２８】
上記２つのレンズ群Ｇ１、Ｇ２をそれぞれ１枚のレンズで構成することによって、より一層の小型化及び薄型化を図れるだけでなく、コストの低減にも寄与する。また、条件式（４）を満足することでファインダーの瞳径を十分に大きく取ることができ、良好な光学性能を得ることが可能となる。
【００２９】
さらに、上記ファインダーアダプタにアイカップを取り付けることでファインダーの視認性を向上させることができる。
【００３０】
図１７に本発明にかかるファインダーアダプタの具体的適用例を示す。
【００３１】
ファインダーアダプタ１０はデジタルカメラ２０のファインダー３０の後側に着脱自在に取り付けられるように構成されている。
【００３２】
ファインダーアダプタ１０は前後に開口した枠状の主筐体１１を有し、該主筐体１１に第１レンズ群Ｇ１と第２レンズ群Ｇ２（図１７では第２レンズ群Ｇ２のみが見えている）が支持されている。主筐体１１には視度調整ダイヤル１２が設けられており、該視度調整ダイヤル１２の一部が主筐体１１の側面に突出している。視度調整ダイヤル１２の主筐体１１の側面に突出している部分を操作することによって視度調整ダイヤル１２を回転させて、視度補正レンズ（第１及び第２の実施の形態Ｇａ１、Ｇａ２にあっては第１レンズ群Ｇ１であり、第３及び第４の実施の形態Ｇａ３、Ｇａ４にあっては第２レンズ群Ｇ２である）を光軸上で移動させて、ファインダー視度を調整するようになっている。
【００３３】
上記主筐体１１の後端には後方に行くに従って拡径するように突出したアイカップ１３が一体に形成されている。
【００３４】
デジタルカメラ２０は沈胴式の可変焦点距離型撮影レンズ２１を備え、該撮影レンズ２１で捉えた被写体像を筐体２２内に設けられた固体撮像素子によって電気信号に変換し該電気信号を所望の記録媒体に記録することができるように構成されている。
【００３５】
上記デジタルカメラ２０に装備されたファインダー３０はエレクトリカルビューファインダーであり、筐体２２内に配置されたファインダー用液晶表示パネル３１に上記固体撮像素子上に結像している被写体の画像が表示され、該液晶表示パネル３１に表示されている画像を観察者が接眼光学系Ｇｆを介して見るようになっている。なお、接眼光学系Ｇｆの第１レンズＬ１と第２レンズＬ２との間にはほぼ４５゜に傾斜させた光路折曲用の平面ミラー３２が介挿され、ファインダーレンズ系によってデジタルカメラ２０の厚みが増すことがないように配慮されている。観察者は筐体２２の背面に突出された接眼枠２３から接眼光学系Ｇｆを介して液晶表示パネル３１に表示されている画像を観察する。
【００３６】
ファインダーアダプタ１０はデジタルカメラ２０の上記接眼枠２３に着脱自在に取り付けられる。接眼枠２３の両側面には上端面に開口した係合溝２３ａ、２３ａが形成されており、これに対応して、ファインダーアダプタ１０の筐体１１の前端部に前方及び下方に開口した図示しない凹部が形成され、該凹部の両内側面に図示しない係合突条が形成されている。そこで、上方からファインダーアダプタ１０の係合突条の下端を接眼枠２３の係合溝２３ａ、２３ａの上端に位置合わせをし、そのままファインダーアダプタ１０を下方に移動させて、上記係合溝２３ａ、２３ａにファインダーアダプタ１０の係合突条を係合させる。これによって、ファインダーアダプタ１０の前端部の凹部内に接眼枠２３を包み込むようにして、ファインダーアダプタ１０が接眼枠２３に取り付けられ、且つ、係合溝２３ａ、２３ａと係合突条との係合によって、ファインダーアダプタ１０の接眼枠２３からの脱落が防止される。このようにして、ファインダーアダプタ１０がデジタルカメラ２０のファインダー３０の接眼光学系Ｇｆの後方に装着される。
【００３７】
そして、上記デジタルカメラ２０のファインダー３０の視度を、例えば、−１Ｄｐｔとして、これを基準視度とし、視度調整ダイヤル１２を回転させて視度補正レンズ（第１レンズ群Ｇ１又は第２レンズ群Ｇ２）を光軸上で移動させることによって、視度を、例えば、−４Ｄｐｔから＋２Ｄｐｔの範囲で連続的に補正することができる。
【００３８】
なお、上記例では、ファインダーアダプタ１０をエレクトリカルビューファインダーの後方に取り付けるものとして説明したが、本発明に係るファインダーアダプタの適用範囲がエレクトリカルビューファインダーにのみ限定されることを意味するものではなく、液晶表示パネル３１の替わりに、被写体像を対物光学系で結像させ、それによって得られる倒立像を反転光学系によって正立像とし、該正立像を接眼光学系を介して観察する光学式ビューファインダーにも適用可能であることは勿論である。
【００３９】
次に、本発明ファインダーアダプタの各実施の形態Ｇａ１、Ｇａ２、Ｇａ３及びＧａ４における各数値実施例を示す。各数値実施例において使用する記号の意味は次に示すとおりである。なお、各数値実施例においては、物体面Ｏｐ（結像面）からアイポイントＥｐ（観察位置）までの各数値を示す。
Ｓｉ：物体側から数えてｉ番目の面
Ｒｉ：上記面Ｓｉの曲率半径
ｄｉ：物体側からｉ番目の面と（ｉ＋１）番目の面との間の面間隔
ｎｉ：第ｉレンズのｄ線（波長５８７．６ｎｍ）における屈折率
νｉ：第ｉレンズのアッベ数
＊  ：非球面を使用した面
【００４０】
なお、各数値実施例において、幾つかの面を非球面によって構成している。ここで、非球面形状は、非球面の深さをＸ、光軸からの高さをＨとして、数１式によって定義されるものとする。なお、Ａ、Ｂ、Ｃ及びＤは、それぞれ４次、６次、８次及び１０次の非球面係数である。
【００４１】
【数１】
2005148487.tif 000003
【００４２】
表１に図１に示す第１の実施の形態における光学系の各具体的数値を数値実施例１として示す。
【００４３】
【表１】
2005148487.tif 000004
【００４４】
数値実施例１において、第３面（ファインダーの接眼光学系Ｇｆの第１レンズＬ１の観察者側の面）、第５面（接眼光学系Ｇｆの第２レンズＬ２の観察者側の面）、第６面（ファインダーアダプタＧａの第１レンズ群Ｇ１の物体側の面）、第９面（ファインダーアダプタＧａ１の第２レンズ群Ｇ２の観察者側の面）が非球面で形成されている。これら各面の非球面係数を表２に示す。
【００４５】
【表２】
2005148487.tif 000005
【００４６】
第１の実施の形態に係るファインダーアダプタＧａ１おいては第１レンズ群Ｇ１が光軸上で移動してファインダー視度の補正を行う。従って、面間隔ｄ５（Ｄ１）及びｄ７（Ｄ２）は可変である。そこで、数値実施例１における基準視度（−１Ｄｐｔ）の他、視度−４Ｄｐｔ、視度＋２Ｄｐｔの時の各面間隔ｄ５、ｄ７の数値を表３に示す。
【００４７】
【表３】
2005148487.tif 000006
【００４８】
図２に基準視度（−１Ｄｐｔ）の時の、図３に視度−４Ｄｐｔの時の、図４に視度＋２Ｄｐｔの時の球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００４９】
表４に図５に示す第２の実施の形態における光学系の各具体的数値を数値実施例２として示す。
【００５０】
【表４】
2005148487.tif 000007
【００５１】
数値実施例２において、第３面（ファインダーの接眼光学系Ｇｆの第１レンズＬ１の観察者側の面）、第５面（接眼光学系Ｇｆの第２レンズＬ２の観察者側の面）、第６面（ファインダーアダプタＧａ２の第１レンズ群Ｇ１の物体側の面）、第９面（ファインダーアダプタＧａ２の第２レンズ群Ｇ２の観察者側の面）が非球面で形成されている。これら各面の非球面係数を表５に示す。
【００５２】
【表５】
2005148487.tif 000008
【００５３】
第２の実施の形態に係るファインダーアダプタＧａ２おいては第１レンズ群Ｇ１が光軸上で移動してファインダー視度の補正を行う。従って、面間隔ｄ５（Ｄ１）及びｄ７（Ｄ２）は可変である。そこで、数値実施例２における基準視度（−１Ｄｐｔ）の他、視度−４Ｄｐｔ、視度＋２Ｄｐｔの時の各面間隔ｄ５、ｄ７の数値を表６に示す。
【００５４】
【表６】
2005148487.tif 000009
【００５５】
図６に基準視度（−１Ｄｐｔ）の時の、図７に視度−４Ｄｐｔの時の、図８に視度＋２Ｄｐｔの時の球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャ
ル像面における値を示すものである。
【００５６】
表７に図９に示す第３の実施の形態における光学系の各具体的数値を数値実施例３として示す。
【００５７】
【表７】
2005148487.tif 000010
【００５８】
数値実施例３において、第３面（ファインダーの接眼光学系Ｇｆの第１レンズＬ１の観察者側の面）、第５面（接眼光学系Ｇｆの第２レンズＬ２の観察者側の面）、第６面（ファインダーアダプタＧａ３の第１レンズ群Ｇ１の物体側の面）、第９面（ファインダーアダプタＧａ３の第２レンズ群Ｇ２の観察者側の面）が非球面で形成されている。これら各面の非球面係数を表８に示す。
【００５９】
【表８】
2005148487.tif 000011
【００６０】
第３の実施の形態に係るファインダーアダプタＧａ３おいては第２レンズ群Ｇ２が光軸上で移動してファインダー視度の補正を行う。従って、面間隔ｄ７（Ｄ２）及びｄ９（Ｄ３）は可変である。そこで、数値実施例３における基準視度（−１Ｄｐｔ）の他、視度−４Ｄｐｔ、視度＋２Ｄｐｔの時の各面間隔ｄ７、ｄ９の数値を表９に示す。
【００６１】
【表９】
2005148487.tif 000012
【００６２】
図１０に基準視度（−１Ｄｐｔ）の時の、図１１に視度−４Ｄｐｔの時の、図１２に視度＋２Ｄｐｔの時の球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００６３】
表１０に図１３に示す第４の実施の形態における光学系の各具体的数値を数値実施例３として示す。
【００６４】
【表１０】
2005148487.tif 000013
【００６５】
数値実施例４において、第３面（ファインダーの接眼光学系Ｇｆの第１レンズＬ１の観察者側の面）、第５面（接眼光学系Ｇｆの第２レンズＬ２の観察者側の面）、第６面（ファインダーアダプタＧａ４の第１レンズ群Ｇ１の物体側の面）、第９面（ファインダーアダプタＧａ４の第２レンズ群Ｇ２の観察者側の面）が非球面で形成されている。これら各面の非球面係数を表１１に示す。
【００６６】
【表１１】
2005148487.tif 000014
【００６７】
第４の実施の形態に係るファインダーアダプタＧａ４おいては第２レンズ群Ｇ２が光軸上で移動してファインファー視度の補正を行う。従って、面間隔ｄ７（Ｄ２）及びｄ９（Ｄ３）は可変である。そこで、数値実施例３における基準視度（−１Ｄｐｔ）の他、視度−４Ｄｐｔ、視度＋２Ｄｐｔの時の各面間隔ｄ７、ｄ９の数値を表１２に示す。
【００６８】
【表１２】
2005148487.tif 000015
【００６９】
図１４に基準視度（−１Ｄｐｔ）の時の、図１５に視度−４Ｄｐｔの時の、図１６に視度＋２Ｄｐｔの時の球面収差図、非点収差図及び歪曲収差図を示す。なお、球面収差図において、実線はｄ線、破線はＣ線、一点鎖線はＦ線における値を示すものであり、非点収差図において、実線はサジタル像面、破線はタンジェンシャル像面における値を示すものである。
【００７０】
上記した各数値実施例における上記各条件式（１）、（２）、（３）及び（４）の数値データを表１３に示す。
【００７１】
【表１３】
2005148487.tif 000016
【００７２】
以上に記載したように、本発明によれば、ファインダー視度の連続的な補正が可能で、且つ、視度の補正に伴う光学性能や瞳径の変動が少なく、見やすいファインダーアダプタを得ることができる。
【００７３】
なお、上記した各実施の形態及び数値実施例に示した、具体的な形状及び構成並びに数値は、本発明の実施に際して行う具体化のほんの一例を示したものにすぎず、これらによって本発明の技術的範囲が限定的に解釈されることがあってはならないものである。
【産業上の利用可能性】
【００７４】
小型化を図る等の目的によって固定された視度しか有しないカメラに使用して視度の連続的補正を可能にすると共に良好な視野を提供し、且つ、小型化を阻害することがない。
【図面の簡単な説明】
【００７５】
【図１】図２乃至図４と共に本発明ファインダーアダプタの第１の実施の形態を示すものであり、本図は光学系の構成を示す図である。
【図２】−１Ｄｐｔ（基準視度）に対応した球面収差、非点収差及び歪曲収差を示す図である。
【図３】−４Ｄｐｔに対応した球面収差、非点収差及び歪曲収差を示す図である。
【図４】＋２Ｄｐｔに対応した球面収差、非点収差及び歪曲収差を示す図である。
【図５】図６乃至図８と共に本発明ファインダーアダプタの第２の実施の形態を示すものであり、本図は光学系の構成を示す図である。
【図６】−１Ｄｐｔ（基準視度）に対応した球面収差、非点収差及び歪曲収差を示す図である。
【図７】−４Ｄｐｔに対応した球面収差、非点収差及び歪曲収差を示す図である。
【図８】＋２Ｄｐｔに対応した球面収差、非点収差及び歪曲収差を示す図である。
【図９】図１０乃至図１２と共に本発明ファインダーアダプタの第３の実施の形態を示すものであり、本図は光学系の構成を示す図である。
【図１０】−１Ｄｐｔ（基準視度）に対応した球面収差、非点収差及び歪曲収差を示す図である。
【図１１】−４Ｄｐｔに対応した球面収差、非点収差及び歪曲収差を示す図である。
【図１２】＋２Ｄｐｔに対応した球面収差、非点収差及び歪曲収差を示す図である。
【図１３】図１４乃至図１６と共に本発明ファインダーアダプタの第１の実施の形態を示すものであり、本図は光学系の構成を示す図である。
【図１４】−１Ｄｐｔ（基準視度）に対応した球面収差、非点収差及び歪曲収差を示す図である。
【図１５】−４Ｄｐｔに対応した球面収差、非点収差及び歪曲収差を示す図である。
【図１６】＋２Ｄｐｔに対応した球面収差、非点収差及び歪曲収差を示す図である。
【図１７】本発明にかかるファインダーアダプタの具体的適用例として、デジタルカメラのファインダーに装着するように構成した例を示す一部切欠斜視図である。
【符号の説明】
【００７６】
Ｇｆ…ファインダーの接眼光学系、Ｇａ１…ファインダーアダプタ、Ｇａ２…ファインダーアダプタ、Ｇａ３…ファインダーアダプタ、Ｇａ４…ファインダーアダプタ、Ｇ１…第１レンズ群、Ｇ２…第２レンズ群
【図１】
2005148487.tif 000017
【図２】
2005148487.tif 000018
【図３】
2005148487.tif 000019
【図４】
2005148487.tif 000020
【図５】
2005148487.tif 000021
【図６】
2005148487.tif 000022
【図７】
2005148487.tif 000023
【図８】
2005148487.tif 000024
【図９】
2005148487.tif 000025
【図１０】
2005148487.tif 000026
【図１１】
2005148487.tif 000027
【図１２】
2005148487.tif 000028
【図１３】
2005148487.tif 000029
【図１４】
2005148487.tif 000030
【図１５】
2005148487.tif 000031
【図１６】
2005148487.tif 000032
【図１７】
2005148487.tif 000033